(57)【要約】【課題】複数の配線・配管材をより簡単且つ効果的に仕分けて配設することを可能とする配線・配管材支持具、及び、当該配線・配管材支持具で配線・配管材を配設する方法を提供する。【解決手段】配線・配管材支持具１００は、配線・配管材Ｐ、Ｐ’を支持する配線・配管材支持具１００であって、構築面（構築物）Ｗに固定される固定部１１０と、該固定部１１０に連設され、配線・配管材Ｐ、Ｐ’を支持すると共に配線・配管材Ｐの配設空間Ｓを形成する支持部１２０と、一方の配線・配管材Ｐが載置される支持部１２０の載置面１２１に対向する位置に設けられ、他方の配線・配管材Ｐ’を結束及び支持可能なバンド体１５０が取り付けられるバンド体取付部１４０と、を備えることを特徴とする。【選択図】図５
2015108419.tif 000002
【特許請求の範囲】
【請求項１】
配線・配管材を支持する配線・配管材支持具であって、
構築物に固定される固定部と、
該固定部に連設され、前記配線・配管材を支持すると共に前記配線・配管材の配設空間を形成する支持部と、
一方の配線・配管材が載置される前記支持部の載置面に対向する位置に設けられ、他方の配線・配管材を結束及び支持可能なバンド体が取り付けられるバンド体取付部と、を備えることを特徴とする配線・配管材支持具。
【請求項２】
前記バンド体は結束バンドであり、前記バンド体取付部の一対の取付孔に前記バンド体のバンド部が挿通され、前記配設空間の外方で前記バンド体のロック部が前記バンド部を脱抜不能に拘束することを特徴とすることを特徴とする請求項１に記載の配線・配管材支持具。
【請求項３】
配線・配管材支持具で複数の配線・配管材を配設する方法であって、
前記配線・配管材支持具の固定部を構築物に固定して、前記固定部に連設された支持部によって前記配線・配管材の配設空間を形成する工程と、
一方の配線・配管材が載置される前記支持部の載置面に対向する位置に設けられたバンド体取付部にバンド体を取り付けると共に、他方の配線・配管材を前記一方の配線・配管材から離間させるように前記他方の配線・配管材を前記バンド体で結束して支持する工程と、を含むことを特徴とする方法。
【発明の詳細な説明】
【技術分野】
【０００１】
本発明は、構築物に取り付けられ、１又は複数の配線・配管材を支持する配線・配管材支持具に関する。
【背景技術】
【０００２】
従来、建物の壁面、造営材の柱面、吊りボルトなどの構築物に固定され、該構築物に対して配線・配管材を支持及び配設する用途で配線・配管材支持具が用いられている。
【０００３】
例えば、特許文献１の配線・配管材支持具（１００）は、支持具本体（１１０）と、該支持具本体（１１０）を被覆する被覆材（１２０）と、を備える。そして、支持具本体（１１０）は、構造物（Ｓ）に固定される固定部（１１３）及び配線・配管材（Ｃ）を支持可能に円弧状に湾曲した支持部（１１４）からなる。また、被覆材（１２０）は、配線・配管材（Ｃ）を載置及び支持するための支持受部（１２３）と、挿入口（Ｏ）を閉塞可能な弾性変形可能な蓋部（１２７）を有している。さらに、配線・配管材支持具（１００）は、１つの配設空間を２つに仕分けて第１及び第２の配設空間を形成するように構成されている。すなわち、特許文献１の配線・配管材支持具（１００）は、支持受部（１２３）を仕切るための仕切り部（１２９）と、第１の蓋部（１２７）の下方に形成された第２の挿入口（Ｏ’）を閉塞可能な弾性変形する第２の蓋部（１２７’）とを備え、異なる種類の配線・配管材（Ｃ、Ｃ’）が１つの配設空間内に混在することを防止している。つまり、特許文献１の配線・配管材支持具は、多種の配線・配管材（Ｃ、Ｃ’）を仕分けして配設することができる。
【先行技術文献】
【特許文献】
【０００４】
【特許文献１】特開２０１３−８７９０７号公報
【発明の概要】
【発明が解決しようとする課題】
【０００５】
しかしながら、特許文献１の配線・配管材支持具は、多種の配線・配管材を第１及び第２の配設空間の両方にそれぞれ配置する工程に時間及び手間がかかるという課題を有する。特に、配線・配管材を第２の配設空間に配置するには、第１の蓋部を開放させた上で第１挿入口から配線・配管材を挿入し、さらに、第２の蓋部を開放させて第２の挿入口を通して配線・配管材を第２の配設空間内に配置しなければならない。つまり、配線・配管材を第２の配設空間に配置するまで、２度の蓋部の開閉動作を行うことが求められるため、仕分け配設作業にかかる負担が大きい。また、第２の配設空間が予め仕切り部で固定されているため、第１の配設空間を広く使用したい状況において、第２の配設空間が占有するスペースが無駄な空間となり、又は、仕切り部及び蓋部が配線・配管材の挿入時に邪魔となり、配設空間を有効に活用できないといった問題があった。すなわち、従来の配線・配管材支持具において、配線・配管材の支持及び配設作業を改善することがさらに求められている。
【０００６】
本発明は、上記課題を解決するためになされたものであり、その目的は、複数の配線・配管材をより簡単且つ効果的に仕分けて配設することを可能とする配線・配管材支持具、及び、当該配線・配管材支持具で配線・配管材を配設する方法を提供することにある。
【課題を解決するための手段】
【０００７】
請求項１に記載の配線・配管材支持具は、配線・配管材を支持する配線・配管材支持具であって、構築物に固定される固定部と、該固定部に連設され、複数の配線・配管材を支持すると共に配線・配管材の配設空間を形成する支持部と、一方の配線・配管材が載置される支持部の載置面に対向する位置に設けられ、他方の配線・配管材を結束及び支持可能なバンド体が取り付けられるバンド体取付部と、を備えることを特徴とする。
【０００８】
請求項２に記載の配線・配管材支持具は、請求項１に記載の配線・配管材支持具において、バンド体は結束バンドであり、バンド体取付部の一対の取付孔にバンド体のバンド部が挿通され、配設空間の外方でバンド体のロック部がバンド部を脱抜不能に拘束することを特徴とする。
【０００９】
請求項３に記載の方法は、配線・配管材支持具で複数の配線・配管材を配設する方法であって、
配線・配管材支持具の固定部を構築物に固定して、固定部に連設された支持部によって配線・配管材の配設空間を形成する工程と、
一方の配線・配管材が載置される支持部の載置面に対向する位置に設けられたバンド体取付部にバンド体を取り付けると共に、他方の配線・配管材を一方の配線・配管材から離間させるように他方の配線・配管材をバンド体で結束して支持する工程と、を含むことを特徴とする。
【発明の効果】
【００１０】
請求項１に記載の配線・配管材支持具によれば、バンド体を支持部のバンド体取付部に取り付けて他方の配線・配管材を支持部に対して結束及び支持可能である。すなわち、本発明では、バンド体をバンド体取付部に取り付けることにより、他方の配線・配管材のための第２の配設空間を後発的に簡単に設けることができる。これにより、一方及び他方の配線・配管材を必要に応じて簡単に仕分けすることができる。さらに、バンド体で配線・配管材を支持部に対して結束することにより、第２の配設空間が占める空間を効果的に削減することができる。尚且つ、一方の配線・配管材が載置される載置面と対向する位置にバンド体取付部が形成されていることにより、一方の配線・配管材と他方の配線・配管材とを大きく離間させて配置することができる。これにより、一方の配線・配管材を第１の配設空間に大量に挿入する場合であっても、一方の配線・配管材が他方の配線・配管材及びバンド体に干渉する虞が大幅に軽減される。したがって、本発明の配線・配管材支持具は、複数の配線・配管材をより簡単且つ効果的に仕分けて配設することを可能とする。
【００１１】
請求項２に記載の配線・配管材支持具によれば、請求項１の発明の効果に加えて、一対の取付孔を介して結束バンドを支持部に簡単に取り付けることができる。したがって、本発明の配線・配管材支持具は、簡易な構造で複数の配線・配管材をより簡単に仕分けて配設することを可能とする。
【００１２】
請求項３に記載の配線・配管材の配設方法によれば、バンド体を支持部のバンド体取付部に取り付けて他方の配線・配管材を支持部に対して結束及び支持可能である。すなわち、本発明では、バンド体をバンド体取付部に取り付けることにより、他方の配線・配管材のための第２の配設空間を後発的に簡単に設けることができる。これにより、一方及び他方の配線・配管材を必要に応じて簡単に仕分けすることができる。さらに、バンド体で配線・配管材を支持部に対して結束することにより、第２の配設空間が占める空間を効果的に削減することができる。尚且つ、一方の配線・配管材が載置される載置面と対向する位置にバンド体取付部が形成されていることにより、一方の配線・配管材と他方の配線・配管材とを大きく離間させて配置することができる。これにより、一方の配線・配管材を第１の配設空間に大量に挿入する場合であっても、一方の配線・配管材が他方の配線・配管材及びバンド体に干渉する虞が大幅に軽減される。したがって、本発明の配設方法は、複数の配線・配管材をより簡単且つ効果的にに仕分けて配設することを可能とする。
【図面の簡単な説明】
【００１３】
【図１】本発明の一実施形態の配線・配管材支持具の（ａ）前方斜視図及び（ｂ）後方斜視図。
【図２】図１の配線・配管材支持具の（ａ）側面図、（ｂ）正面図及び（ｃ）背面図。
【図３】図２（ｂ）のＡ−Ａ断面図。
【図４】図１の配線・配管材支持具で構築された配線・配管材支持構造の斜視図。
【図５】（ａ）図４の配線・配管材支持構造の断面図、（ｂ）別実施例の配線・配管材構造の断面図。
【図６】図１の配線・配管材支持具で一方の配線・配管材を支持する工程を示す模式図。
【図７】図１の配線・配管材支持具で他方の配線・配管材を支持する工程を示す模式図。
【図８】本発明の別実施形態（変形例１）の配線・配管材支持具による配線・配管材支持構造を示す概略図。
【図９】本発明の別実施形態（変形例２）の配線・配管材支持具による配線・配管材支持構造を示す概略図。
【発明を実施するための形態】
【００１４】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００１５】
本発明の一実施形態の配線・配管材支持具１００は、構築物としての構築面Ｗに対して配線・配管材Ｐを支持すべく構成されている。そして、本実施形態では、配線・配管材の一例として複数のケーブルを支持する配線・配管材支持具１００を説明する。しかしながら、該説明は例示にすぎず、本発明の配線・配管材支持具は、ケーブルの代わりに可撓管等の配管材を支持するように構成されてもよい。すなわち、本発明の配線・配管材は、種々の長尺材を含む幅広い概念であり、支持対象の長尺体の種類・サイズに応じて、配線・配管材支持具の形状・寸法を任意に変更可能であることは言うまでもない。
【００１６】
図１から図３を参照して、配線・配管材支持具１００の構成を以下に詳細に説明する。図１（ａ）（ｂ）は、本発明の一実施形態の配線・配管材支持具１００の前方斜視図及び後方斜視図である。図２（ａ）、（ｂ）、（ｃ）は、該配線・配管材支持具１００の側面図、正面図及び背面図である。図３は、該配線・配管材支持具１００の側方断面図である。
【００１７】
図１及び図２に示すとおり、一実施形態の配線・配管材支持具１００は、側面視略Ω形を有し、一端側に設けられた第１固定部１１０と、該第１固定部１１０に連設された支持部１２０と、該支持部１２０の他端に連設された第２固定部１３０と、を備える。なお、説明の便宜上、図２（ａ）の下方（すなわち第１固定部１１０側）を「一端」と定義し、且つ、上方（すなわち第２固定部１３０側）を「他端」として定義した。
【００１８】
本実施形態の配線・配管材支持具１００の第１固定部１１０は、その側面視（図２（ａ）参照）において、厚肉の台状に形成され、一端側から他端側にかけて徐々に厚くなり、他端側で支持部１２０に連結されている。この第１固定部１１０には、構築面Ｗに当接する平面を構成する第１固定面１１１が形成されている。他方、第１固定面１１１の反対面は、一端に位置する急な傾斜面と、これに連接する緩やかな傾斜面とからなる（図２（ａ）（ｂ）参照）。また、図２（ｃ）に示すとおり、第１固定面１１１は、縦横に延びるリブ１１１ａで構成されている。
【００１９】
そして、図３に示すとおり、該第１固定部１１０には、第１固定面１１１及びその反対側の緩やかな傾斜面を貫通するように複数（本実施形態では３つ）の第１固定孔１１２ａ〜ｃ、及び、他端側に小径の貫通孔１１７が穿設されている。複数の第１固定孔１１２ａ〜ｃは、緩やかな傾斜面に設けられた長円状の凹部１１３内に直線的且つ等間隔で整列している。さらに、これら第１固定孔１１２ａ〜ｃ及び貫通孔１１７は、第１固定面１１１に対して（垂直ではなく）所定の傾斜角で下方から上方に傾斜して延びている。そして、当該複数の第１固定孔１１２ａ〜ｃのうちの両端の第１固定孔１１２ａ、ｃには、第１固定部材１１５としてＵ型のステップルが保持されている。すなわち、第１固定孔１１２ａ〜ｃの内径が第１固定部材１１５の外径と対応しているため、第１固定部材１１５を脱落させないように第１固定部１１０に保持可能である。なお、後述するとおり、ステップルの頭部を叩くなどして第１固定部材１１５を打ち込むことにより、ステップルの先端が第１固定面１１１から突出する。あるいは、第２固定部材１１５としてステップルを使用せずに、木ネジ（図５の第２固定部材１１５’参照）を使用する場合、真ん中の第１固定孔１１２ｂを選択して木ネジを挿入することができる。
【００２０】
本配線・配管材支持具１００の支持部１２０は、一端側から他端側まで屈曲して延びる円弧形状を有している。該支持部１２０は、構築面Ｗ側に配置され配設空間Ｓを形成する内周面１２０ａ、該内周面１２０ａの裏面である外周面１２０ｂ、及び、その幅方向の両端で該外周面１２０ｂから略直角に立設した一対の側壁１２０ｃから構成されている。該支持部１２０の内周面１２０ａの一部には、配線・配管材Ｐが載置される載置面１２１が定められている。該載置面１２１は、配線・配管材Ｐを下支え可能な面を意味する。つまり、この載置面１２１は、該配線・配管材支持具１００を構築面Ｗに設置したときに少なくとも部分的に上方を向く面であり、水平面だけでなく、ある程度傾斜又は湾曲した面をも含む概念である。
【００２１】
当該支持部１２０では、図２（ａ）に示すとおり、一対の側壁１２０ｃの一端近傍側が他端側よりも高くなるように構成されている。また、図２（ｂ）に示すとおり、一対の側壁１２０ｃの横幅が一端側から他端側にかけて狭くなるように連続的に変化している。さらに、図３に示すとおり、支持部１２０断面の厚みが一端側から他端側にかけて薄くなるように連続的に変化している。この支持部１２０の厚み及び側壁１２０ｃの高さ、幅に応じて、支持部１２０の弾性変形し易さ又は頑強さが部位ごとに設計されている。すなわち、本実施形態の配線・配管材支持具１００において、支持部１２０の一端側の載置面１２１近傍では、相対的に厚い支持部１２０及び幅広の高い側壁１２０ｃによって、変形し難い頑丈な剛性部位１２２が設けられている。他方、支持部１２０の中間近傍から他端では、相対的に薄い支持部１２０及び幅狭の低い側壁１２０ｃによって、弾性変形容易な弾性変形部位１２３が設けられている。そして、剛性部位１２２が配線・配管材Ｐの支持を補助し、且つ、弾性変形部位１２３が（挿入口Ｉの開閉動作のための）支持部１２０の撓み変形を補助するように機能する。
【００２２】
本配線・配管材支持具１００の第２固定部１３０は、支持部１２０の他端において、第１固定面１１１の同一平面から離間した位置に形成されている。さらに、第２固定部１３０は、支持部１２０の外周面１２０ｂから外方（図２（ａ）の上方）に延在していると共に、その先端が上記第１固定面１１１の同一平面から離間するように傾斜している。この第２固定部１３０は、薄板形状を有しており、その先端が半円形状に面取りされている。また、第２固定部１３０は、構築面Ｗに当接する第２固定面１３１と、該第２固定部１３０の略中央に穿設された第２固定孔１３２と、を備える。この第２固定孔１３２は、例えば木ネジである第２固定部材１３５を挿入可能な寸法で構成されている。さらに、第２固定孔１３２に隣接した他端側に、より小径の貫通孔１３７が穿設されている。後述するとおり（図６（ｂ）参照）、第１固定部１１０のみを構築面Ｗに固定した状態で、支持部１２０の自由端（又は第２固定面１３１の基端縁）と構築面Ｗとが互いに離間して配線・配管材Ｐを挿通可能な挿入口Ｉが形成される。さらに、同時に、第２固定面１３１の先端縁が構築面Ｗと最も離間して、該第２固定面１３１が配線・配管材Ｐを挿入口Ｉに案内するガイド面として機能する。
【００２３】
さらに、本配線・配管材支持具１００では、支持部１２０の他端寄りの位置で、バンド体取付部１４０として、その薄肉部を貫通するように一対の取付孔１４１が穿設されている。この一対の取付孔１４１は、支持部１２０の幅方向に延びるスリットであり、長手方向に互いに離隔して設けられている。これら一対の取付孔１４１は、バンド体１５０のバンド部１５１が挿通可能に形成されている。また、図３に示すとおり、バンド体取付部１４０の一端で隆起部１４３が外周面１２０ｂから隆起しており、且つ、該バンド体取付部１４０の他端側で矩形状の凹部１４２が外周面１２０ｂに凹設されている。この凹部１４２は、隆起部１４３からバンド体取付部１４０の他端にかけて支持部１２０が局所的に薄くなるように傾斜して深くなっている。そして、一対の取付孔１４１の一方が隆起部１４３に穿設され、一対の取付孔１４１の他方が凹部１４２の他端に穿設されている。さらに、該他方の取付孔１４１の他端側（すなわち、バンド体取付部１４０の他端）に段差を形成している。すなわち、凹部１４２はバンド体１５０の矩形状のロック部１５２を収容し、且つ、その段差がロック部１５２を係止して、バンド体１５０が動くことを防止するように機能する。さらに、支持部１２０の内周面１２０ａにおいて一端側の取付孔１４１の他端側の端縁が部分的に切り欠かれている。すなわち、バンド体取付部１４０の肉部がその両端で薄くなっており、該肉部にバンド体１５０のバンド部１５１を巻き付け易くなっている。他方、バンド体取付部１４０は、構築面Ｗに配線・配管材支持具１００を固定したときに支持部１２０の載置面１２１に対向する部位に配置される。そして、当該バンド取付部１４０の位置は、固定時に構築面Ｗに垂直となる部位に配置されることが好ましいが、内周面１２０ａが少なくとも部分的に下方（載置面１２１）を向いている部位（つまり、湾曲又は傾斜した部位）からも任意に選択可能である。
【００２４】
本実施形態で用いられるバンド体１５０は、一般的に結束バンド又はケーブルタイとして呼称されるものであり、長尺のバンド部１５１と、該バンド部１５１上の係止爪を挿通及び係止して固定する矩形状のロック部１５２とを備える。すなわち、バンド体１５０の先端が、その基端に位置するロック部１５２の挿通係止孔（図示せず）に挿入されると、バンド部１５１表面の係止爪（図示せず）と挿通係止孔とが係合し、バンド部１５１が所定位置でロック部１５２に脱抜不能に拘束及び結合される。
【００２５】
なお、本実施形態の配線・配管材支持具１００は、弾性変形又は撓み変形可能であるように硬質の合成樹脂から成形されて得られる。しかしながら、本発明の配線・配管材支持具は、これに限定されず、例えば、金属などを含む他の材料で製造することも可能である。また、本実施形態では、構築面Ｗに固定するために各固定部にステップルや木ネジを挿入可能な固定孔を設けたが、本発明はこの形態に限定されない。例えば、第１及び第２固定部に予め固定孔を穿設せずに、又は、打ち抜き可能な薄膜を固定孔に張設し、ステップルや木ネジで肉部又は薄膜を打ち抜くことにより、後発的に固定孔を穿設してもよい。あるいは、本実施形態では、固定部材として、ステップル又は木ネジを採用したが、ビス、クランプ、接着剤等の他の固定手段を採用してもよい。
【００２６】
図４は、一実施形態の配線・配管材支持具１００で２種類の配線・配管材Ｐ、Ｐ’（ケーブル）を支持した配線・配管材支持構造１０の斜視図である。また、図５（ａ）は、図４の配線・配管材支持構造１０の断面図である。図５（ｂ）は、図５（ａ）の第１固定部材１１５（ステップル）の代わりに、第１固定部材１１５’（木ネジ）を使用した配線・配管材支持具１００の別の使用例を示している。
【００２７】
本実施形態の配線・配管材支持構造１０では、図４及び図５（ａ）に示すとおり、配線・配管材支持具１００が構築面Ｗに第１固定部１１０及び第２固定部１３０を介して固定されている。より詳細には、第１固定部１１０の第１固定面１１１及び第２固定部１３０の第２固定面１３１の両方が構築面Ｗに当接した状態で、第１固定孔１１２ａ、ｃ及び第２固定孔１３２に第１固定部材１１５（ステップル）及び第２固定部材１３５（木ネジ）がそれぞれ挿入されて壁内にほぼ完全に打ち込まれている。このとき、配線・配管材支持具１００の支持部１２０は、図１〜３で示した当初形態から、他方側の弾性変形部位１２３で撓み変形することにより、第２固定面１３１が第１固定面１１１と同一平面上（すなわち構築面Ｗ上）で固定されている。
【００２８】
そして、配線・配管材支持具１００の支持部１２０の内周面１２０ａと構築面Ｗとの間に配線・配管材Ｐ、Ｐ’の配設空間Ｓ（Ｓ１、Ｓ２）が形成されている。この配設空間Ｓは、第１固定部１１０及び第２固定部１３０が構築面Ｗに固定されて、閉塞された空間を形成している。さらに、配設空間Ｓは、一方の配線・配管材Ｐのための第１の配設空間Ｓ１と、他方の配線・配管材Ｐ’のための第２の配設空間Ｓ２と、からなる。この配線空間Ｓの中の第１の配設空間Ｓ１において、一方の配線・配管材Ｐ（ここでは３本の楕円形ケーブル）が支持部１２０の載置面１２１上に載置されている。すなわち、支持部１２０の剛性部位１２２で複数本の一方の配線・配管材Ｐを下支えしている。なお、選択的に第２の配設空間Ｓ２を形成しない場合、配設空間Ｓと第１の配設空間Ｓ１とが合致する。
【００２９】
また、本配線・配管材支持構造１０では、支持部１２０の載置面１２１に対向する位置に配置されたバンド体取付部１４０にバンド体１５０が取り付けられている。すなわち、当該バンド体１５０のバンド部１５１が一対の取付孔１４１に挿通され、バンド部１５１が配設空間Ｓの外方に部分的に延び出てロック部１５２で拘束されることにより、バンド体１５１が支持部１２０の薄肉部に括り付けられている。そして、配設空間Ｓの内部に配置されたバンド部１５１で環状の第２の配設空間Ｓ２を形成している。換言すると、当該バンド体１５０が配設空間Ｓを第１の配設空間Ｓ１と第２の配設空間Ｓ２とに仕切っている。当該第２の配設空間Ｓ２では、バンド体１５０が他方の配線・配管材Ｐ’を支持部１２０と共に緊密に結束している。そして、バンド体１５０のロック部１５２が支持部外周面１２０ｂの凹部１４２内に収容されている。その結果、第２の配設空間Ｓ２の断面積は、他方の配線・配管材Ｐ’の断面積に近似されるよう小さくなっている。すなわち、本配線・配管材支持構造１０では、配設空間Ｓ内に占める第２の配設空間Ｓ２の割合が必要最小限まで低減され、第１の配設空間Ｓ１を相対的に広く活用可能である。つまり、本実施形態では、一方の配線・配管材Ｐと他方の配線・配管材Ｐ’とが干渉する虞が著しく軽減されている。そして、好ましくは、このような干渉をさけるべく、一方の配線・配管材Ｐと他方の配線・配管材Ｐ’とが最も離間するように、支持部１２０の載置面１２１とバンド体取付部１４０とが最も離れて設置される。
【００３０】
なお、図４に示した本実施形態の配線・配管材支持構造１０は、造営材の構築面Ｗに配線・配管材支持具１００を固定することにより構築されている。しかしながら、本発明の「構築物」は、造営材の構築面Ｗに限定されない。すなわち、「構築物」は、配線・配管材支持具を固定する対象を意味し、例えば、建物の壁面、天井面、床面、柱材側面等を含む構築面を含む幅広い概念である。さらに、「構築物」は、平坦面に限定される概念ではなく、湾曲、凹凸、段差又は角部を含む構築面をも含んでいる。このような場合、構築面の形状に合わせて固定部の形状を設計する（例えば、角部を有する場合は固定部をＬ字形状とする等）ことにより、より安定的に配線・配管材支持具を構築面に固定することができる。さらに、「構築物」は、「構築面」だけでなく吊りボルト等の他の構造体をも含む概念である。そして、「構築物」が吊りボルトである場合、固定部にクランプや把持手段等の既知の手段を採用することにより、固定部を吊りボルトに固定することが可能である。
【００３１】
次に、図６及び図７を参照して、構築面Ｗに対して配線・配管材支持具１００で配線・配管材Ｐを配設する方法を示す。
【００３２】
まず、図６（ａ）に示すとおり、配線・配管材支持具１００の第１固定部１１０を構築面Ｗに固定する。より詳細には、第１固定部材（ステップル）１１５を第１固定孔１１２ａ、ｃに保持した状態で第１固定面１１１を構築面Ｗの所定位置に宛がい、第１固定部材１１５の頭部を工具等で打ち付けて、第１固定部材１１５を壁内に深く打ち込む。このとき、第１固定部材１１５の頭部が凹部１１３内に収容されるとともに、第１固定部材１１５の先端が構築面Ｗに対して上方に傾斜して食い込んでいる。すなわち、本工程によって、第１固定部１１０を構築面Ｗにしっかりと固定することができる。
【００３３】
図６（ｂ）に示すとおり、第１固定部１１５のみを構築面Ｗに固定した状態では、支持部１２０の内周面１２０ａと構築面Ｗとの間に、開放された（又は閉塞されていない）配設空間Ｓが形成されている。そして、支持部１２０の自由端（又は第２固定面１３１の基端縁）と構築面Ｗとが離間して、これらの間に挿入口Ｉが形成されている。さらに、第２固定部１３０は、配設空間Ｓの外方に延びると共に構築面Ｗから離間する方向に傾斜している。すなわち、第２固定部１３０の第２固定面１３１の先端縁との間の距離が挿入口Ｉの幅よりも大きく、尚且つ、第２固定面１３１と構築面Ｗとの隙間が挿入口Ｉに向けて徐々に狭まっていくので、第２固定面１３１は配線・配管材Ｐを挿入口Ｉに案内するようにガイド面として機能する。
【００３４】
そして、上述のとおり開放した挿入口Ｉを通して、支持部１２０及び構築面Ｗが協働して形成した配設空間Ｓ内に複数の配線・配管材Ｐ（ここでは３本）を挿入する。図６（ｂ）のように、配線・配管材Ｐを第２固定面（ガイド面）１３１に当接させて移動させることにより、簡単且つ迅速に支持部１２０の載置面１２１上に載置することができる。つまり、第２固定面１３１の先端と構築面Ｗとの間に配線・配管材Ｐを落下させるだけで、配線・配管材Ｐが第２固定面１３１に当接すると共にその上を滑り落ちて（又は摺動して）挿入口Ｉまで案内される。  
【００３５】
次いで、図７（ａ）に示すとおり、第１固定部１１０のみを構築面Ｗに固定した状態から挿入口Ｉを通して他方の配線・配管材Ｐ’を配設空間Ｓ内に挿入して、支持部１２０の載置面１２１に対向するバンド体取付部１４０近傍で保持する。これと前後して又は同時に、バンド体１５０の先端を支持部１２０の外周面１２０ｂ側から一対の取付孔１４１のいずれか一方に挿入する。そして、バンド体１５０のバンド部１５１で配線・配管材Ｐ’を包囲するように、支持部１２０の内周面１２０ａ側からバンド体１５０の先端を他方の取付孔１４１に挿入する。続いて、該取付孔１４１から外方に延び出たバンド体１５０の先端をロック部１５２の挿通係止孔（図示せず）に挿通させて、バンド部１５１をロック部１５２に脱抜不能に連結する。これにより、配設空間Ｓの内部で、支持部１２０の内周面１２０ａとバンド部１５１と間に環状の第２の配設空間Ｓ２が形成される。この状態から、さらにバンド体１５０の先端を引っ張ることにより、支持部１２０の内周面１２０ａに対して配線・配管材Ｐ’が引き寄せられ、結果として、複数の配線・配管材Ｐ’を支持部１２０に対して緊密に結束することができる（図７（ｂ）参照）。なお、一方の配線・配管材Ｐ及び他方の配管材Ｐ’を配置する工程の順序は問わない。
【００３６】
全ての配線・配管材Ｐ、Ｐ’を配設空間Ｓ１及びＳ２内にそれぞれ挿入した後、挿入口Ｉを閉塞すべく、第２固定部１３０を構築面Ｗに固定する。より詳細には、支持部１２０の他端側を構築面Ｗ側に押圧することにより支持部１２０の弾性変形部位１２３を撓み変形させて、支持部１２０の自由端及び第２固定面１３１を構築面Ｗに当接させる。このように挿入口Ｉが閉塞された状態で、第２固定部材（木ネジ）１３５を第２固定孔１３２に挿入して壁内に垂直に打ち込むことにより、第２固定部１３０を構築面Ｗに固定する。その結果、図７（ｂ）に示すとおり、配線・配管材支持具１００で、閉塞された配設空間Ｓ１、Ｓ２に配線・配管材Ｐ、Ｐ’をそれぞれ仕分けし、尚且つ、配設空間Ｓ１、Ｓ２から脱落しないように配線・配管材Ｐ、Ｐ’を支持することができる。そして、図５に示したように、配設空間Ｓにおける第２配設空間Ｓ２の比率が実質的に最小化された配線・配管材支持構造１０を構築することができる。
【００３７】
なお、ここで説明した方法は、一例にすぎず、当業者であれば、各工程の順序を入れ替え、又は、状況に応じて不要な工程を省略することも可能である。
【００３８】
以下、本発明に係る一実施形態の配線・配管材支持具１００（配線・配管材の配設方法）における作用効果について説明する。
【００３９】
本発明の一実施形態の配線・配管材支持具１００では、バンド体１５０を支持部１２０のバンド体取付部１４０に取り付けて他方の配線・配管材Ｐ’を支持部１２０に対して結束及び支持可能である。すなわち、本実施形態では、バンド体１５０をバンド体取付部１４０に取り付けることにより、他方の配線・配管材Ｐ’のための第２の配設空間Ｓ２を後発的に簡単に設けることができる。これにより、一方及び他方の配線・配管材Ｐ、Ｐ’を必要に応じて簡単に仕分けすることができる。さらに、バンド体１５０で配線・配管材Ｐ’を支持部１２０に対して結束することにより、配設空間Ｓ全体における第２の配設空間Ｓ２が占める空間を効果的に削減することができる。尚且つ、一方の配線・配管材Ｐが載置される載置面１２１と対向する位置にバンド体取付部１４０が形成されていることにより、一方の配線・配管材Ｐと他方の配線・配管材Ｐ’とを大きく離間させて配置することができる。これにより、一方の配線・配管材Ｐを第１の配設空間Ｓ１に大量に挿入する場合であっても、一方の配線・配管材Ｐが他方の配線・配管材Ｐ’及びバンド体１５０に干渉する虞が大幅に軽減される。これに反して、例えば、配線・配管材Ｐの載置面１２１上又は該載置面１２１に隣接する側面にバンド体取付部１４０を配置した場合、一方の配線・配管材Ｐが他方の配線・配管材Ｐ’又はバンド体１５０に接触することが避け難い。このような場合、一方又は他方の配線・配管材Ｐ、Ｐ’の挿入が互いに邪魔されて配設における作業効率が低下し、又は、異なる種類の配線・配管材Ｐ、Ｐ’が混然と重なり合って配線・配管材同士を実質的に仕分けできないといった不具合が生じることが想定される。特に、配設される配線・配管材が発熱性のケーブルである場合、互い接近するケーブルが熱くなり悪影響を受ける。本実施形態は、バンド体取付部１５０を載置面１２１と対向する位置に配置したことにより、このような不具合にも十分に配慮したものである。例えば、発熱するケーブルを出来るだけ離して配置することにより、熱よる悪影響を抑えると共に配線・配管材支持構造１０内に熱がこもらないようにすることができる。したがって、本実施形態の配線・配管材支持具１００は、複数の配線・配管材Ｐ、Ｐ’をより簡単に仕分けて配設することを可能とする。
【００４０】
また、本発明の一実施形態の配線・配管材支持具１００では、第１固定部１１０及び第２固定部１３０が構築面Ｗに固定されることにより形成された閉塞した配設空間Ｓに配線・配管材Ｐ、Ｐ’をより安定的に支持することが可能である。すなわち、配線・配管材Ｐ、Ｐ’の挿入口Ｉを形成可能な支持部１２０の自由端が、配線・配管材Ｐ、Ｐ’の挿入後に第２固定部１３０で構築面Ｗに固定されるので、配線・配管材支持構造１０において配線・配管材支持具１００の支持部１２０が配線・配管材Ｐ、Ｐ’による負荷で撓み変形等して挿入口Ｉが開放されることが防止される。特に、支持部１２０の一端側（第１固定部１１０側）に設けられた剛性部位１２２で配線・配管材Ｐ、Ｐ’を下支えし、支持部１２０自体が配線・配管材Ｐの重みで撓むことをさらに抑えている。これにより、配線・配管材Ｐ、Ｐ’が配設空間Ｓから抜け出ることを効果的に防止し、より安定的に配線・配管材Ｐ、Ｐ’を支持することができる。
【００４１】
（変形例１）
本発明の配線・配管材支持具の形態は、上記実施形態に限定されない。例えば、本実施形態の配線・配管材支持具１００は、側面視円弧形状の有し、第１及び第２固定部１１０、１３０で固定されているが、本発明はこれに限定されない。図８の配線・配管材支持具２００は、鉤爪状の全体形状を有し、建造物の天井としての構築面Ｗに固定される第１固定部２１０と、該第１支持部２１０に連設された支持部２２０と、該支持部２２０の載置面２２１と対向する位置に形成されたバンド体取付部２４０（一対の取付孔２４１）と、該支持部２２０の先端と基端との間の挿入口Ｉを閉塞する閉塞片２６０と、を備えてなる。この配線・配管材支持具２００（配線・配管材支持構造２０）において、第１の配設空間Ｓ１にて一方の配線・配管材Ｐが載置面２２１に載置されており、他方、第２の配設空間Ｓ２にて該載置面２２１に対向する位置で他方の配管材Ｐ’がバンド体２５０で保持されている。すなわち、変形例１の配線・配管材支持具２００は、上述した本発明の作用効果を発揮している。したがって、本発明の技術的思想の範囲内であれば、本発明の配線・配管材支持具の形状及び寸法を任意に変更可能である。
【００４２】
（変形例２）
また、一実施形態の配線・配管材支持具１００では、結束バンドからなるバンド体１５０が採用された。しかしながら、本発明のバンド体は、結束バンドの形態に限定されず、配線・配管材を支持部に結束した状態でバンド体取付部に取り付け可能であればよく、例えば、革紐、番線、Ｕ字ボルト等であってもよい。図９の配線・配管材支持具３００（配線・配管材支持構造３０）では、Ｕ字ボルト状のバンド体３５０が採用されている。このバンド体３５０は、挿通孔３４１に挿通可能である硬質なコ字状のバンド部３５１と、該バンド部３５２の両端の螺子部に螺着されるナット状のロック部３５２と、ロック部３５２及び支持部３２０の間に配置される板状体３５３と、を備える。すなわち、本発明のバンド体は、柔軟又は硬質な材質を問わず種々の形態から選択することが可能である。
【００４３】
本発明は上述した実施形態や変形例に限定されるものではなく、本発明の技術的範囲に属する限りにおいて種々の態様で実施しうるものである。
【符号の説明】
【００４４】
１０      配線・配管材支持構造
１００    配線・配管材支持具
１１０    第１固定部（固定部）
１１１    第１固定面
１１１ａ  リブ
１１２ａ〜ｃ  第１固定孔
１１３    凹部
１１５    第１固定部材
１１７    貫通孔
１２０    支持部
１２０ａ  内周面
１２０ｂ  外周面
１２０ｃ  側壁
１２１    載置面
１２２    剛性部位
１２３    弾性変形部位
１３０    第２固定部
１３１    第２固定面（又はガイド面）
１３２    第２固定孔
１３５    第２固定部材
１３７    貫通孔
１４０    バンド体取付部
１４１    取付孔
１４２    凹部
１５０    バンド体（結束バンド）
１５１    バンド部
１５２    ロック部
Ｉ        挿入口
Ｓ        配設空間
Ｓ１      第１の配設空間
Ｓ２      第２の配設空間
Ｐ        （一方の）配線・配管材
Ｐ’      他方の配線・配管材
Ｗ        構築面（構築物）
【図１】
2015108419.tif 000003
【図２】
2015108419.tif 000004
【図３】
2015108419.tif 000005
【図４】
2015108419.tif 000006
【図５】
2015108419.tif 000007
【図６】
2015108419.tif 000008
【図７】
2015108419.tif 000009
【図８】
2015108419.tif 000010
【図９】
2015108419.tif 000011